(57)【要約】【課題】ディスクカートリッジの位置決め動作がスムーズに行えて、また、確実にディスクカートリッジを再生位置に位置決めすることができるディスクカートリッジの位置決め機構を提供する。【解決手段】メカニズムシャーシに対して回動自在に支持されたホルダにディスクカートリッジを差し込み、ホルダを回動させることによりメカニズムシャーシに設けた位置決めピン１をディスクカートリッジの基準穴に嵌合させてディスクカートリッジをメカニズムシャーシの記録・再生位置に位置決めするディスク装置において、位置決めピン１をメカニズムシャーシに回動自在に支持した。【選択図】        図１
2004234700.tif 000002
【特許請求の範囲】
【請求項１】
メカニズムシャーシに対して回動自在に支持されたホルダにディスクカートリッジを差し込み、前記ホルダを回動させることにより前記メカニズムシャーシに設けた位置決めピンをディスクカートリッジの基準穴に嵌合させてディスクカートリッジをメカニズムシャーシの記録及び／又は再生位置に位置決めするディスク装置において、前記位置決めピンをメカニズムシャーシに回動自在に支持したことを特徴とするディスクカートリッジの位置決め機構。
【請求項２】
前記位置決めピンにアームを設け前記ディスクカートリッジが再生位置に移動する途中においてディスクカートリッジが前記アームを押すことにより前記位置決めピンを回動させるように構成した請求項１のディスクカートリッジの位置決め機構。
【請求項３】
前記位置決めピンをばねで付勢し、前記基準穴に前記位置決めピンが入り込むときの初期の摩擦抵抗が小さくなる位置に前記位置決めピンを位置させることを特徴とする請求項１または２のディスクカートリッジの位置決め機構。
【発明の詳細な説明】
【０００１】
【発明の属する技術分野】
この発明はディスク記録または再生装置に係わり、特に、ディスクを収容したディスクカートリッジの再生位置への位置決め機構に関する。
【０００２】
【従来の技術】
従来のポータブルミニディスク（ＭＤ）再生装置のディスクカートリッジ位置決め機構の例を図９〜図１５により説明する。図９はＭＤ再生装置の要部を示す分解斜視図、図１０は同ＭＤ再生装置の部分を示す斜視図である。図９に示すケース１３には穴１３ａ、１３ａを挿通してアーム１４のねじ穴１４ｂ、１４ｂにねじ込まれるねじによりアーム１４が締着される。アーム１５も同様にケース１３の他方の側面に締着される。
【０００３】
メカニズムシャーシ６の両側面には金具９、９が締着される。金具９の軸９ａ、９ａ（一方の軸は見えていない）には夫々アーム１４および１５の穴１４ａ、１５ａが嵌合され、ケース１３はメカニズムシャーシ６に回動自在に支持される。メカニズムシャーシ６に固定された図示していないディスクモータの回転軸に固着されたターンテーブル８はメカニズムシャーシ６の開口部から突出している。なお、ターンテーブル８にはディスクを吸着するマグネットが付設されている。光ピックアップおよびその駆動機構は図示していないが、メカニズムシャーシ６の開口部に臨んでいる。
【０００４】
図１２に示すディスクを収納したディスクカートリッジ４はホルダ１０に挿入されてホルダ１０に保持される。ホルダ１０の穴１０ｂ、１０ｂ（一方の穴は見えていない）はメカニズムシャーシ６の軸６ａ、６ａと嵌合してホルダ１０はメカニズムシャーシ６に回動自在に支持される。
【０００５】
メカニズムシャーシ６にはディスクカートリッジの水平方向の位置決めをするための位置決めピン７と高さ方向の位置決めをするための当接部６ｂ、６ｂがインサート成形により一体に形成されている。図１０に詳しく示すようにホルダ１０には上方向に曲がった板ばね１１と下方向に曲がった板ばね１２、１２が設けられている。
【０００６】
図１０に示すようにメカニズムシャーシ６にホルダ１０が組み付けられた状態でホルダ１０は図示していないばねに付勢されて上方に回動している。なお、図１０は図９に示した金具９、９を取り外した状態で示している。この状態において、図９に示したケース１３は板ばね１１、１１に押されて上方向に回動している。
【０００７】
図１０に示すホルダ１０にはカートリッジ排出金具１６が摺動自在に取り付けられている。カートリッジ排出金具１６は、図示していないばねにより図１０における右上方向に付勢されており、図示していないロック機構により定位置にロックされる。カートリッジ排出金具１６に設けられたカートリッジ当接部はホルダ１０の内部に延びており、ホルダ１０に挿入されたカートリッジと当接する。
【０００８】
図１０に示すホルダ１０にディスクカートリッジが右上方向から定位置まで挿入されると、カートリッジ当接部と当接してカートリッジ排出金具１６を押し込みカートリッジ排出金具１６がロックされる。この状態ではディスクカートリッジをカートリッジ排出金具１６を付勢するばねの弾力に抗して内部に押し込むことができる。なお、ディスクカートリッジを排出するときは、図示していないロック解除機構により前記ロック機構のロックを解除してカートリッジ排出金具１６を付勢するばねの弾力によりディスクカートリッジを押し出す。
【０００９】
ホルダ１０にディスクカートリッジが挿入された状態で、ケース１３が押し下げられると板ばね１１、１１がケース１３に押されてホルダ１０が下方向に回動する。このときホルダ１０内のディスクカートリッジは板ばね１２、１２およびホルダ１０の押さえ部１０ａに押されてその下面がメカニズムシャーシ６の当接部６ｂ、６ｂに当接する再生位置まで押し下げられる。その過程において、図１２〜１５に示すようにディスクカートリッジ４の基準穴４ａに位置決めピン７の突起部７ａに入り込む。
【００１０】
位置決めピン７の突起部７ａの形状を図１１に詳しく示す。位置決めピン７の突起部７ａは下部稜線７ｃの下が略円筒形に形成され、下部稜線７ｃと上部稜線７ｂの間が略円錐形に形成されている。上部稜線７ｂの上には下側の部分より頂角の大きい円錐面が形成されその上部が略球面形状の面に連なっている。位置決めピン７の当接部７ｄは当接部６ｂと同様にディスクカートリッジの下面と当接してディスクカートリッジの高さ位置を決めるためのものである。
【００１１】
ところで、ホルダ１０は再生位置にあるディスクカートリッジの下面より高い位置を回動中心として回動し、また、ディスクカートリッジはカートリッジ排出金具１６を付勢するばねにより排出方向に付勢されているため、ディスクカートリッジ４が回動するとき、基準穴４ａの下縁は前方（回動中心から外に向かう方向）の軌跡を通る。
【００１２】
図１２〜図１５にディスクカートリッジ４が再生位置に移動するときの状態を示す。図１２はディスクカートリッジ４の基準穴４ａの下縁が突起部７ａの上部稜線７ｂの上の傾斜面と接触して滑りながら下降する状態を示している。このとき、基準穴４ａの下縁は移動方向に対する突起部７ａの接触部傾斜角が大きいため、大きい摩擦抵抗を受けるが板ばね１２、１２の大きい押圧力がディスクカートリッジ４に伝えられてディスクカートリッジ４は突起部７ａを入り込ませるようにスライドする。
【００１３】
図１３は基準穴４ａの下縁が突起部７ａの上部稜線７ｂと下部稜線の間の傾斜面と接触して滑りながら下降する状態を示している。図１２の状態から図１３の状態となるとき基準穴４ａの下縁が上部稜線７ｂを乗り越えるがそのとき大きい抵抗を受ける。そして図１３に示す状態では、基準穴４ａの下縁は移動方向に対する突起部７ａの接触部傾斜角が大きいため、大きい摩擦抵抗を受けるが板ばね１２、１２の大きい押圧力がディスクカートリッジ４に伝えられてディスクカートリッジ４はスライドする。
【００１４】
図１４はディスクカートリッジ４の基準穴４ａの下縁が突起部７ａの下部稜線７ｃ近傍の傾斜面と接触して滑りながら下降する状態を示している。このとき、ケース１３は閉じられて停止しているが、ホルダ１０は板ばね１２、１２の弾力により下向きの力を受けている。しかしながらホルダ１０が受ける力が弱いため、基準穴４ａの下縁が突起部７ａの下部稜線７ｃを乗り越えられず、ディスクカートリッジ４が定位置に位置決めされないことがあった。
【００１５】
図１５はディスクカートリッジ４が再生位置に位置決めされた状態を示している。この状態となる直前は基準穴４ａの下縁が下部稜線７ｃの下の面をスライドするが、ホルダ１０が受ける力が弱いためディスクカートリッジ４が定位置となる前に停止してディスクカートリッジ４が定位置に位置決めされないことがあった。
【００１６】
上記したように従来のディスクカートリッジの位置決め機構では、ディスクカートリッジを位置決めするときの抵抗が大きく動作がスムーズでなく、また、ディスクカートリッジが定位置に位置決めされないことがあった。ディスクカートリッジが定位置にないと、ディスクに記録されている情報をピックアップがトレースすることができなくなり、信号の読取りエラーが生じる。
【００１７】
【発明が解決しようとする課題】
この発明は上記した点に鑑みてなされたものであって、その目的とするところは、ディスクカートリッジの位置決め動作がスムーズに行えて、また、確実にディスクカートリッジを再生位置に位置決めすることができるディスクカートリッジの位置決め機構を提供することにある。
【００１８】
【課題を解決するための手段】
この発明のディスクカートリッジの位置決め機構は、メカニズムシャーシに対して回動自在に支持されたホルダにディスクカートリッジを差し込み、前記ホルダを回動させることにより前記メカニズムシャーシに設けた位置決めピンをディスクカートリッジの基準穴に嵌合させてディスクカートリッジをメカニズムシャーシの記録及び／又は再生位置に位置決めするディスク装置において、前記位置決めピンをメカニズムシャーシに回動自在に支持したものである。
【００１９】
また、前記ディスクカートリッジの位置決め機構において、前記位置決めピンにアームを設け前記ディスクカートリッジが再生位置に移動する途中においてディスクカートリッジが前記アームを押すことにより前記位置決めピンを回動させるように構成したものである。
【００２０】
また、前記各ディスクカートリッジの位置決め機構において、前記位置決めピンをばねで付勢し、前記基準穴に前記位置決めピンが入り込むときの初期の摩擦抵抗が小さくなる位置に前記位置決めピンを位置させるものである。
【００２１】
【発明の実施の形態】
この発明の実施例であるディスクカートリッジの位置決め機構を図面に基づいて説明する。図１はこの発明の実施例であるディスクカートリッジ位置決め機構の主要部を示す斜視図、図２は同ディスクカートリッジ位置決め機構の部材を示す斜視図である。
【００２２】
図１において、１は位置決めピンであり、突起部１ａ、回動軸１ｇおよびアーム１ｅが一体に成形されている。突起部１ａは前後方向位置決め部１ｂ、側部位置決め部１ｃ、１ｃ（一方の側部位置決め部１ｃは見えていない）および後部凸部１ｄが十文字状に形成され、それらの上部が滑らかな曲面で連なっている。前後方向位置決め部１ｂはディスクカートリッジの前後方向の位置を決めるもので垂直に立ち上がる円筒面が形成されている。側部位置決め部１ｃ、１ｃはディスクカートリッジの横方向の位置を決めるもので傾斜した曲面が形成され、アーム１ｅの先端には凸部１ｆが設けられている。
【００２３】
図１に示す位置決めピンホルダ２は樹脂により作られており、図２に詳しく示されているように、軸受凹部２ａ、ねじ穴２ｂ、樹脂ばね２ｃおよび凸部２ｄが形成されている。
【００２４】
図１に示すように、位置決めピンホルダ２の軸受凹部２ａに位置決めピン１の回動軸１ｇを嵌合させるように位置決めピンホルダ２の上に位置決めピン１を乗せる。その状態で図３に示すように位置決めピンホルダ２をねじ３、３でメカニズムャーシ５に締着する。
【００２５】
このとき位置決めピン１の回動軸１ｇは位置決めピンホルダ２の軸受凹部２ａとメカニズムャーシ５の円弧状押え部５ａに挟まれた状態で回動自在に支持される。円弧状押え部５ａは回動軸１ｇとの当接面が円筒形に形成されており、樹脂ばね２ｃにより上方に付勢された位置決めピン１の回動軸１ｇの上下方向の位置を決める。
【００２６】
実施例のＭＤ再生装置は従来例で説明した装置において、メカニズムシャーシ６および位置決めピン７を夫々メカニズムシャーシ５と位置決めピン１で置き換えているが他の部分は従来例のものと同様である。
【００２７】
図４〜図８により本実施例のディスクカートリッジの位置決め機構の動作を説明する。ディスクカートリッジ４が位置決めピン１の突起部１ａに入り込む初期では、図４に示すように位置決めピン１のアーム１ｅが樹脂ばね２ｃの凸部２ｄに押されて突起部１ａが前方に傾いており、突起部１ａの先端位置が前方にせりだす円弧軌跡上での基準穴４ａの中心位置に近いため基準穴４ａの下縁が突起部１ａの前後方向位置決め部１ｂと摺動する摩擦抵抗が小さい。
【００２８】
図４に示す状態から図８に示す状態まで、ディスクカートリッジ４が移動する間では、位置決めピン１のアーム１ｅの凸部１ｆがディスクカートリッジ４の下面に押されて位置決めピン１が反時計方向に回動する。そして、突起部１ａの中心が基準穴４ａの中心と一致するように移動する。そのため、図５および図６に示すように基準穴４ａの下縁が突起部１ａの前後方向位置決め部１ｂと摺動する摩擦抵抗が小さい。
【００２９】
図７に示すように、基準穴４ａの下縁が突起部１ａの下部まで入り込むときは、ディスクカートリッジ４に板ばねの弱い押圧力が加わるが、ディスクカートリッジ４と突起部１ａの双方が移動しているために摩擦抵抗が小さくディスクカートリッジ４が途中で停止することなく、図８に示すように再生のための定位置に位置決めされる。
【００３０】
図８に示すように、ディスクカートリッジ４が再生位置に配置された状態で基準穴４ａは突起部１ａの前後方向位置決め部１ｂの垂直に立ち上がる広い面に当接しディスクカートリッジ４の前後方向の位置が確実に決められる。また、ディスクカートリッジ４の横方向位置は基準穴４ａと突起部１ａの側部位置決め部１ｃ、１ｃが当接することにより決められる。ディスクカートリッジ４の下面はメカニズムシャーシの軸押さえ部５ａの上面と当接しディスクカートリッジ４の上下方向位置が決められる。
【００３１】
このように上記実施例のディスクカートリッジの位置決め機構では、ディスクカートリッジの基準穴と位置決めピンとの摩擦抵抗が小さくスムーズに動作してディスクカートリッジが確実に再生位置に位置決めされる。
【００３２】
実施例は以上のように構成されているが発明はこれに限られず、例えば、位置決めピンを付勢するばねは位置決めピンホルダと一体でなく別部品であってもよい、また、位置決めピンはばねで付勢されるのではなく、ディスクカートリッジの基準穴に誘導されて回動するようにしてもよい。
【００３３】
また、本発明をホーダブルＭＤ再生装置以外のディスク装置に適用することも可能である。
【００３４】
【発明の効果】
この発明のディスクカートリッジの位置決め機構によれば、ディスクカートリッジの基準穴と位置決めピンとの摩擦抵抗が小さくスムーズに動作してディスクカートリッジが確実に再生位置に位置決めされる。
【図面の簡単な説明】
【図１】この発明の実施例であるディスクカートリッジ位置決め機構の主要部を示す斜視図である。
【図２】同ディスクカートリッジ位置決め機構の部材を示す斜視図である。
【図３】同ディスクカートリッジ位置決め機構を一部部材を切り取って示す斜視図である。
【図４】同ディスクカートリッジ位置決め機構の作用を説明するための一部部材を切り取って示す斜視図である。
【図５】同ディスクカートリッジ位置決め機構の作用を説明するための一部部材を切り取って示す斜視図である。
【図６】同ディスクカートリッジ位置決め機構の作用を説明するための一部部材を切り取って示す斜視図である。
【図７】同ディスクカートリッジ位置決め機構の作用を説明するための一部部材を切り取って示す斜視図である。
【図８】同ディスクカートリッジ位置決め機構の作用を説明するための一部部材を切り取って示す斜視図である。
【図９】従来のディスク記録再生装置を示す分解斜視図である。
【図１０】同ディスク記録再生装置の部分を示す斜視図である。
【図１１】同ディスク記録再生装置の位置決めピンを示す斜視図である。
【図１２】同ディスク記録再生装置のディスクカートリッジ位置決め機構の作用を説明するための一部部材を切り取って示す斜視図である。
【図１３】同ディスクカートリッジ位置決め機構の作用を説明するための一部部材を切り取って示す斜視図である。
【図１４】同ディスクカートリッジ位置決め機構の作用を説明するための一部部材を切り取って示す斜視図である。
【図１５】同ディスクカートリッジ位置決め機構の作用を説明するための一部部材を切り取って示す斜視図である。
【符号の説明】
１  位置決めピン、１ａ  突起部、１ｂ  前後方向位置決め部
１ｃ  側部位置決め部  １ｄ  後部凸部、１ｅ  アーム、１ｆ  凸部
１ｇ  回動軸
２  位置決めピンホルダ、２ａ  軸受凹部、２ｂ  ねじ穴、２ｃ  樹脂ばね、
２ｄ  凸部
３  ねじ
４  ディスクカートリッジ、４ａ  基準穴
５  メカニズムシャーシ、５ａ  円弧状押え部
６  メカニズムシャーシ、６ａ  軸、６ｂ  当接部
７  位置決めピン、７ａ  突起部、７ｂ  上部稜線、７ｃ  下部稜線
７ｄ  当接部
８  ターンテーブル
９  金具、９ａ  軸
１０  ホルダ、１０ａ  押さえ部、１０ｂ  穴
１１、１２  板ばね
１３  ケース、１３ａ  穴
１４  アーム、１４ａ  穴、１４ｂ  ねじ穴
１５  アーム、１５ａ  穴
１６  カートリッジ排出金具
【図１】
2004234700.tif 000003
【図２】
2004234700.tif 000004
【図３】
2004234700.tif 000005
【図４】
2004234700.tif 000006
【図５】
2004234700.tif 000007
【図６】
2004234700.tif 000008
【図７】
2004234700.tif 000009
【図８】
2004234700.tif 000010
【図９】
2004234700.tif 000011
【図１０】
2004234700.tif 000012
【図１１】
2004234700.tif 000013
【図１２】
2004234700.tif 000014
【図１３】
2004234700.tif 000015
【図１４】
2004234700.tif 000016
【図１５】
2004234700.tif 000017